(57)【要約】【課題】  エレベータのかご室内の乗客が現在の状況あるいは乗客の意思を十分に外部の管理者等へ伝達することができ、よってかご室内の乗客の不安感を十分に解消させることができ、さらに、耳や口の不自由な人にとっても容易に利用することができる連絡装置を提供する。【解決手段】  エレベータのかご室内に、かご内撮像手段１２と、かご内表示手段１１とを備える。前記かご内撮像手段１２からの動画像信号を入力し回線を通じてかご室外へ伝送するとともに、回線を通じてかご室外から伝送されたかご室外の連絡相手の動画像信号を前記かご内表示手段１１に出力する伝送制御手段を備える。かご室外に前記かご内の動画像を連絡相手に表示させるかご外表示手段と、前記連絡相手の動画像を撮像する撮像手段とを備える。【選択図】  図１
2006076677.tif 000002
【特許請求の範囲】
【請求項１】
エレベータのかご室内に設けられ、かご室内の乗客の動画像を撮像可能なかご内撮像手段と、
前記かご室内に設けられ、前記かご室内の乗客に対して動画像を表示可能なかご内表示手段と、
前記かご室内とかご室外とで双方向通信を行い、前記かご内撮像手段から出力された前記乗客の動画像信号を回線を通じて前記かご室外へ伝送するとともに、回線を通じてかご室外から伝送されたかご室外の連絡相手の動画像信号を前記かご内表示手段に出力する伝送制御手段と、
前記かご室外に設けられ、回線を通じて前記伝送制御手段より伝送された前記乗客の動画像信号により前記かご室内の乗客の動画像を前記かご室外の連絡相手に表示させるかご外表示手段と、
前記かご室外に設けられ、回線を通じて前記伝送制御手段に伝送する前記かご室外の連絡相手の動画像を撮像する撮像手段と、
を備えることを特徴とするエレベータの連絡装置。
【請求項２】
前記かご内表示手段は、前記伝送制御手段から出力される文字情報を前記動画像に重ねて表示するものである請求項１記載のエレベータの連絡装置。
【請求項３】
前記かご内表示手段の画像表示面に重ねて、タッチパネル装置を備えることを特徴とする請求項２記載のエレベータの連絡装置。
【請求項４】
前記かご内表示手段の画像表示面に表示される文字情報に対応する選択スイッチを前記かご室内に具備することを特徴とする請求項２記載のエレベータの連絡装置。
【請求項５】
前記選択スイッチが、かごドアの開閉ボタンを兼ねることを特徴とする請求項４記載のエレベータの連絡装置。
【発明の詳細な説明】
【技術分野】
【０００１】
本発明は、エレベータのかご室内の乗客が、かご室外の人物に連絡をするためのエレベータの連絡装置に関する。
【背景技術】
【０００２】
従来から、エレベータに異常が発生して乗客がかご室内に閉じ込められた時やその他の非常時に、前記かご室内の乗客が外部の、例えばエレベータ管理室の管理者等と連絡を取り合うために、通話装置が前記かご室の操作盤に設けられている。すなわち、前記かご室の操作盤に、外部の管理室と回線により接続されているインターホンボタン及びインターホン装置が設けられており、前記乗客が前記インターホンボタンを押すことにより、前記管理室の管理者を呼び出し、前記インターホン装置が備えるマイク及びスピーカを用いて、前記管理室の管理者と通話をすることができるようになっている。
【発明の開示】
【発明が解決しようとする課題】
【０００３】
従来のエレベータの連絡装置である前記インターホン装置では、前記かご室内の乗客が、外部の管理者等と音声により連絡を取ることはできるが、音声のみによる情報では、かご室内の乗客が現在の状況あるいは乗客の意思を十分に外部の管理者等へ伝達することが難しい場合があった。また、前記かご室内の乗客にとって、連絡相手である外部の管理者等と音声のみで連絡するのでは、連絡相手の顔や表情が分からないために、コミュニケーションをうまく取れないことがあり、非常時の不安感が十分に解消できない場合があった。特に、かご室内に一人で閉じ込められた場合などは、乗客が非常に不安に感じることがあった。さらに、前記インターホン装置は、耳や口の不自由な人にとっては利用が難しく、連絡相手である外部の管理者等と相互に連絡することが困難であった。
【０００４】
本発明は、上記の問題を有利に解決するもので、かご室内の乗客が現在の状況あるいは乗客の意思を十分に外部の管理者等へ伝達することができ、よってかご室内の乗客の不安感を十分に解消させることができ、さらに、耳や口の不自由な人にとっても容易に利用することができるエレベータの連絡装置を提供することを目的とする。
【課題を解決するための手段】
【０００５】
本発明のエレベータの連絡装置は、エレベータのかご室内に設けられ、かご室内の乗客の動画像を撮像可能なかご内撮像手段と、前記かご室内に設けられ、前記かご室内の乗客に対して動画像を表示可能なかご内表示手段と、前記かご室内とかご室外とで双方向通信を行い、前記かご内撮像手段から出力された前記乗客の動画像信号を回線を通じて前記かご室外へ伝送するとともに、回線を通じてかご室外から伝送されたかご室外の連絡相手の動画像信号を前記かご内表示手段に出力する伝送制御手段と、前記かご室外に設けられ、回線を通じて前記伝送制御手段より伝送された前記乗客の動画像信号により前記かご室内の乗客の動画像を前記かご室外の連絡相手に表示させるかご外表示手段と、前記かご室外に設けられ、回線を通じて前記伝送制御手段に伝送する前記かご室外の連絡相手の動画像を撮像する撮像手段と、を備えることを特徴とする。
【発明の効果】
【０００６】
本発明のエレベータの連絡装置は、かご室内に乗客の動画像を撮像する撮像手段と、外部の管理者等の動画像を表示する表示手段とを備えているから、かご室内の乗客は、前記撮像手段により連絡相手である外部の管理者等に現在の状況や意思を視覚的に伝えることができる。また、前記表示装置により連絡相手である外部の管理者等の顔や表情を視認することができるので、非常時の不安感が軽減できる。さらに、耳や口の不自由な人にとっても容易に利用することができる。
【発明を実施するための最良の形態】
【０００７】
以下、図面を用いて本発明のエレベータの連絡装置の実施形態を説明する。
【０００８】
図１は、第一の実施形態のエレベータの連絡装置が設けられているエレベータのかご室内の概略図であり、図２は、図１に示したかご室内のかご操作盤の要部を示す図である。図１及び図２において、概略箱形になるかご室１の側面部にドア２が設けられ、前記ドア２の側方の袖壁３に、かご操作盤４が取り付け固定されている。
【０００９】
かご操作盤４は、非常時にかご内の乗客の連絡相手となるかごの外部の人、例えばエレベータを管理する管理室の管理者を呼び出すためのインターホンボタン５と、前記インターホンボタンにより呼び出された外部の人と相互に通話をするためのインターホン装置６と、行先階を指定して登録するための行先階ボタン７と、ドア２の開スイッチ８と、ドア２の閉スイッチ９とを備えている。また、前記かご操作盤４には、かご室内の乗客に対して動画像を表示可能な表示手段としてのテレビモニタ１１と、かご室１内の乗客の動画像を撮像可能なかご内撮像手段としてのテレビカメラ１２が設けられている。
【００１０】
前記テレビモニタ１１は、かご操作盤４における乗客が容易に視認することができる位置に、画像の表示面がかご操作盤４のフェースパネル表面に面するように取り付けられて、連絡相手である前記外部の人の上半身が撮像された動画像を表示することができるようになっている。このテレビモニタ１１には、たとえばＣＲＴ表示装置、液晶表示装置、有機又は無機のＥＬ（エレクトロルミネッセンス）表示装置などが用いられる。
【００１１】
また、前記テレビカメラ１２は、乗客が前記テレビモニタ１１を見ながら対面的に連絡するときに、前記テレビカメラ１２に撮像される乗客の視線が不自然となるのを避けるために、前記テレビカメラ１２のレンズ部が前記テレビモニタ１１に近接して設けられ、外部の人と連絡をする乗客の例えば上半身像の動画像を撮像するようになっている。
【００１２】
本実施形態のエレベータの連絡装置のブロック図を図３に示す。連絡装置は、エレベータ側２１のかご室内に、呼び出しボタン（インターホンスイッチ）２２と、インターホン２３と、テレビカメラ２４と、テレビモニタ２５とを備えている。これらの呼び出しボタン２２、インターホン２３、テレビカメラ２４及びテレビモニタ２５のそれぞれは、エレベータ側の伝送制御装置２６に接続されている。このエレベータ側の伝送制御装置２６は、回線３０によりエレベータ側２１と外部側３１、例えば管理室とで双方向通信を行うものであり、前記テレビカメラ２４から出力された動画像信号を回線３０を通じて前記外部側３１へ伝送するとともに、回線３０を通じて前記外部側３１から伝送された外部の人（連絡相手）の動画像信号を前記テレビモニタ２５に出力する。一方、外部側３１に、前記エレベータ側の伝送制御装置２６と回線３０により接続されている外部側の伝送制御装置３２と、前記外部側の伝送制御装置３２と接続するインターホン３３と、前記前記エレベータ側の伝送制御装置２６より伝送された前記乗客の動画像信号をにより前記かご室内の乗客の動画像を前記かご室外の連絡相手に表示させるテレビモニタ３５と、回線３０を通じて前記エレベータ側の伝送制御装置２６に伝送させる外部の人（連絡相手）の動画像を撮像するテレビカメラ３４とを備えている。
【００１３】
図３に示した本実施形態の連絡装置において、かご室内の乗客がインターホンの呼び出しボタン２２を押すと、呼び出し信号がエレベータ側の伝送制御装置
２６に出力される。すると、このエレベータ側の伝送制御装置２６は、回線３０を通じて外部側の伝送制御装置３２と双方向通信を行い、エレベータ側のインターホン２３と外部側のインターホン３３とで双方向に連絡できるようにする。また、エレベータ側のテレビカメラ２４により撮像したかご室内の乗客の動画像信号が伝送制御装置２６に出力されて、回線３０を介して外部側の伝送制御装置３２に伝送され、この外部側の伝送制御装置３２によって、外部側のテレビモニタ３５に乗客の動画像が表示される。さらに、外部側のテレビカメラ３４により撮像した管理者の動画像信号が、外部側の伝送制御装置３２に出力されて、回線３０を介してエレベータ側の伝送制御装置２６に伝送され、このエレベータ側の伝送制御装置２６により前記エレベータ側のテレビモニタ２５に表示される。
【００１４】
したがって、本実施形態の連絡装置によれば、かご室内の乗客と外部の管理者等とが、視覚を通じて対面的に連絡できることができるので、かご室内の乗客は、連絡相手である外部の管理者等に現在の状況や意思を容易に伝えることができる。また、連絡相手を動画像として視認できるので、連絡相手の表情を理解することができ、かご室内の乗客の不安感を軽減することができる。さらに、耳や口の不自由な人にとっても、動画像により外部の管理者と容易に連絡することができる。
【００１５】
次に、本発明の第二の実施形態について説明する。図４は、本実施形態の特徴部分を表しているかご操作盤の要部を示す図である。図４において、かご操作盤４に取り付けられた、かご内表示手段であるテレビモニタ４１は、外部の管理者等の上半身の動画像に重ねて、文字情報４２を表示している。この文字情報４２は、図３に示すブロック図においては、例えば呼び出しボタン２２の呼び出しに応じて、外部側３１の管理者が、外部側の伝送制御装置３２に接続されているメモリ３６に予め蓄積されている複数の文字情報データのうちから適切な文字情報データを選択し、その文字情報の信号を回線３０を通して、エレベータ側の伝送制御装置２６に伝送し、前記エレベータ側の伝送制御装置２６によりテレビモニタ２５への出力信号を制御することにより表示される。また、図３に示したメモリ３６の代わりに、図示しない文字入力装置を伝送制御装置３２に接続して、管理者が、呼び出し信号又はかご室内の利用者の動画像に応じて前記文字入力装置により文字を入力することで、この文字信号を回線３０を通じて前記エレベータ側の伝送制御装置２６に伝送することもできる。
【００１６】
図４に図示したように、本実施形態では、テレビモニタ４１に文字情報４２が動画像に重ねて表示されることから、乗客が耳の不自由な人であっても、外部の管理者等からの情報を、いっそう容易に理解することができる。また、健常者であっても、文字情報４２を画面に表示させることにより、理解の手助けとなる。
【００１７】
また、図４に示した前記テレビモニタ４１の画像表示面に重ねて、光透過性を有するタッチパネル装置を設けることもできる。前記タッチパネル装置を設けるとともに、前記テレビモニタ４１の画面に、文字情報４２に応答するための選択用の文字情報４３、４４を表示することができるように構成すると、乗客が、タッチパネル装置を透して表示されている前記選択用の文字情報４３、４４の領域を触れることにより、前記タッチパネル装置のタッチパネルスイッチが作動し、選択信号を出力する。この信号は、エレベータ側の伝送制御装置２６から回線３０を介して外部側の伝送制御装置３２に伝達され、外部の例えば管理室に設けられているテレビモニタ３５又は他の表示装置によって乗客の選択結果が表示される。
【００１８】
このように、タッチパネル装置を設けて、乗客が前記タッチパネル装置を操作することにより、耳や口の不自由な人であっても、外部の管理者等からの問いかけに対する応答や現在の状況の説明や意思を、いっそう容易に伝えることが可能になる。また、健常者であっても、タッチパネルの操作により、意思伝達の手助けとすることができる。
【００１９】
次に、本発明の第三の実施形態について説明する。本実施形態においては、かご内表示手段の画像表示面に表示される文字情報に対応する選択スイッチをかご室内に設け、前記タッチパネル装置の代わりに、又は前記タッチパネル装置と併せて用いる。図５は、本実施形態の特徴部分を表しているかご操作盤の要部を示す図である。かご操作盤４に取り付けられたかご内表示手段であるテレビモニタ５１の近傍に、前記テレビモニタ５１の画面に表示される文字情報５２に対する応答を選択するための選択ボタン５３及び５４が設けられている。前記選択ボタン５３及び５４のいずれか一方を乗客が押すことにより、選択信号が出力される。この選択信号は、エレベータ側の伝送制御装置２６から回線３０を介して外部側の伝送制御装置３２に伝達され、外部の例えば管理室に設けられているテレビモニタ３５又は他の表示装置によって乗客の選択結果が表示される。かくして、選択ボタン５３及び５４を備えることにより、かご室内の乗客は、タッチパネル装置による操作が不慣れである場合や、タッチパネル装置が取り付けられていることに気づかない場合であっても、前記テレビモニタ５１の画面に表示される文字情報５２に対する応答を選択することができるので、乗客の意思などを容易に外部の管理者等に伝達することができる。
【００２０】
次に、本発明の第四実施形態について説明する。前記選択ボタンは、図５に示したようにかご操作盤４に新たに設けることもできるが、かご操作盤４上に既存のボタンを、前記選択ボタンとして兼用させることもできる。
【００２１】
図６は、かような既存のボタンを選択用のボタンに兼用させたかご操作盤を示す図である。同図では、ドア開ボタン６１及び閉ボタン６２が、前記選択用のボタンを兼ねている。そして、乗客が、インターホンボタン５を押して、外部の管理者等と双方向に連絡できる状態になったときに、伝送制御装置２６は、ドア開ボタン６１及び閉ボタン６２からの信号を、選択信号として外部側へ伝送する。
【００２２】
図６に示したように、ドア開ボタン６１及び閉ボタン６２を、前記選択用のボタンと兼用させれば、テレビモニタ１１に表示される文字情報又はインターホン装置６からの音声情報に対して乗客が応答するための選択ボタンを別途新たに設ける必要がなくなる。なお、前記ドア開ボタン６１及び閉ボタン６２のそれぞれに、選択用の文字（はい、いいえ）を近接して表示させることは、乗客に前記ドア開ボタン６１及び閉ボタン６２が選択ボタンを兼用していることを容易に理解させるために望ましい。
【００２３】
なお、図６では、前記ドア開ボタン６１及び閉ボタン６２が選択ボタンを兼ねるようにしていたが、選択ボタンを兼用させるボタンは、前記ドア開ボタン６１及び閉ボタン６２に限られるものではなく、例えば、行先階ボタン７を兼用させることもできる。
【００２４】
また、本発明のエレベータの連絡装置は、図面を用いて説明した実施形態に限定されるものではなく、例えば、かご内撮像装置及びかご内表示装置は、図１等に示したようにかご操作盤４に取り付けられるものに限定されない。すなわち、かご内撮像装置及びかご内表示装置は、乗客の上半身像を撮像することができ、また、乗客に動画像を表示させることができる位置であれば、かご室内のかご操作盤に取り付けられる場合に限られず、かご室内の他の場所に設けることもできる。
【図面の簡単な説明】
【００２５】
【図１】第一の実施形態のエレベータの連絡装置が設けられているエレベータのかご室内の概略図である。
【図２】図１に示したかご室内のかご操作盤の要部を示す図である。
【図３】第一の実施形態のエレベータの連絡装置のブロック図である。
【図４】第二の実施形態の特徴部分を表しているかご操作盤の要部を示す図である。
【図５】第三の実施形態の特徴部分を表しているかご操作盤の要部を示す図である。
【図６】第四の実施形態の特徴部分を表しているかご操作盤を示す図である。
【符号の説明】
【００２６】
１  かご室
４  かご操作盤
１１  テレビモニタ（かご内表示手段）
１２  テレビカメラ（かご内撮像手段）
２４  テレビカメラ（かご内撮像手段）
２５  テレビモニタ（かご内表示手段）
２６  伝送制御装置
３０  回線
３４  テレビカメラ（かご外撮像装置）
３５  テレビモニタ（かご外表示装置）
【図１】
2006076677.tif 000003
【図２】
2006076677.tif 000004
【図３】
2006076677.tif 000005
【図４】
2006076677.tif 000006
【図５】
2006076677.tif 000007
【図６】
2006076677.tif 000008